(57)【特許請求の範囲】
【請求項１】
建造物内の防虫区画となる内部と、防虫区画の外部とを、開閉体カーテンによって開閉自在に区画する開閉体装置において、
前記開閉体カーテンは、その前記内部に対面する内面側は虫誘引機能を有する虫誘引面部とされ、その前記外部に対面する外面側は虫忌避機能を有する虫忌避面部とされたことを特徴とする開閉体装置の防虫構造。
【請求項２】
前記防虫区画となる前記内部と前記外部とは、前記建造物の出入口の内部と出入口の外部、又は、前記建造物内に区画して形成されている請求項１に記載の開閉体装置の防虫構造。
【請求項３】
前記開閉体カーテンは、シートカーテンよりなり、その上部が前記防虫区画の天井部に沿って設けられた開閉体ケース内に挿入されて収納自在とされ、その両側縁部が左右のガイドレール内に挿入されて昇降自在とされており、前記開閉体ケース及び前記ガイドレールの、少なくとも前記開閉体カーテンが収納若しくは挿入される開口に隣接する内壁面は虫忌避剤が施されて虫忌避面部とされた請求項１又は２に記載の開閉体装置の防虫構造。
【請求項４】
前記開閉体カーテンの前記虫忌避面部は、虫忌避剤が練り込まれた塩化ビニール製等の樹脂シートよりなるシートカーテンの前記外面側である請求項１乃至３のいずれか１項に記載の開閉体装置の防虫構造。
【請求項５】
前記開閉体カーテンの前記虫誘引面部は、開閉体カーテンの前記内部に対面する前記内面側に蛍光顔料により虫を誘う黄色系色調が施されて形成されている請求項１乃至４のいずれか１項に記載の開閉体装置の防虫構造。
【請求項６】
前記開閉体カーテンの前記虫忌避面部は、除虫菊などの天然の虫忌避剤、ピレスロイド系などの化学合成された虫忌避剤、又は、それらの複合により形成された虫忌避剤により形成されている請求項１乃至５のいずれか１項に記載の開閉体装置の防虫構造。
【請求項７】
前記開閉体カーテンは、その上部が前記開閉体ケース内に幅方向に軸支された巻取軸の外周に開閉体カーテンの前記虫誘引面部が外側となるように巻き取られて収納自在とされた請求項３に記載の開閉体装置の防虫構造。
【請求項８】
前記開閉体ケース及び前記ガイドレールの前記虫忌避面部は、除虫菊などの天然の虫忌避剤、ピレスロイド系などの化学合成された虫忌避剤、又は、それらの複合により形成された虫忌避剤により形成されている請求項３記載の開閉体のガイドレール構造。
【請求項９】
前記開閉体カーテンの虫誘引機能を有する前記虫誘引面部は、開閉体カーテンの下部に形成されている請求項１乃至８のいずれか１項に記載の開閉体装置の防虫構造。
【発明の詳細な説明】
【技術分野】
【０００１】
本発明は、建物内部の防虫区画の出入口を開閉する開閉体カーテン、例えば、高速シートシャッターのシートカーテンに、防虫機能を持たせた開閉体装置に関する。
防虫区画は、虫の侵入を防止する区画であり、建物内部の全体が防虫区画とされていてもよく、その場合には、建物の出入口に開閉体カーテンが設けられる。また、防虫区画は、建物の内部が区画されて形成されていてもよく、その場合には区画壁に形成された出入口に開閉体カーテンが設けられる。
【背景技術】
【０００２】
例えば、食品工場（パン、加工食品、水産物、食肉等の食品工場）、厨房施設（給食センター、レストラン等の厨房室）、野菜栽培場、精密機械工場、精密電子部品工場、印刷工場等では、虫の侵入が大きな問題となっている。また、食品関連以外でも、商品への虫の混入は商品の品質と信頼性を大きく損なわせることになる。
【０００３】
上記のような工場等の防虫区画への虫の侵入を阻止するために、下記特許文献１に示される高速シートシャッターにより、防虫区画の出入口を高速で開閉させることが考えられる。
特許文献２には、各種食品や医療品等が搬入される工場等の出入口に殺菌室を設け、該殺菌室をシートシャッターにより開閉させる装置が示されている。
【先行技術文献】
【特許文献】
【０００４】
【特許文献１】特開２０１４−５１８０３号公報
【特許文献２】特開平１０ー２１６２１２号公報
【発明の概要】
【発明が解決しようとする課題】
【０００５】
工場等の防虫区画内への虫の侵入を阻止するために、防虫区画の出入口を、人が出入りする時に、高速シートシャッターにより可及的速やかに開閉させたとしても、虫の侵入を完全に阻止することはできない。
【０００６】
また、シートシャッターの防虫区画側内面に虫誘引機能を有する黄色調などの色彩などを施し、防虫区画内部に侵入した虫をシートシャッターの内面側に誘引して捕捉することも考えられる。しかしながら、このような防虫構造であると、外部からの虫の侵入には効果がないばかりか、隙間や取り合いによっては、外部の虫を呼び込む恐れもある。
【０００７】
本発明は、以上の点に鑑みてなしたもので、建造物内の防虫区画となる内部と、防虫区画の外部とを、開閉体カーテンによって開閉自在に区画する開閉体装置において、防虫区画内の虫は、開閉体カーテンの防虫区画内面側に誘引させるとともに、防虫区画外部からの虫の侵入を阻止させるようにしたことを目的とする。
【課題を解決するための手段】
【０００８】
以下に上記の課題を解決するための手段を、図の実施の形態を参照して説明する。
【０００９】
請求項１に係る本発明は、建造物内の防虫区画１００となる内部と、防虫区画１００の外部とを、開閉体カーテン２によって開閉自在に区画する開閉体装置１において、
前記開閉体カーテン２は、その前記内部に対面する内面側は虫誘引機能を有する虫誘引面部３とされ、その前記外部に対面する外面側は虫忌避機能を有する虫忌避面部４（４Ａ）とされたことを特徴とする開閉体装置の防虫構造にある。
【００１０】
請求項２は、前記防虫区画１００となる前記内部と前記外部とは、前記建造物の出入口１０１の内部と出入口１０１の外部、又は、前記建造物内に区画して形成されている開閉体装置の防虫構造にある。
【００１１】
上記開閉体装置１の防虫構造では、防虫区画１００内部の虫（主として昆虫）は、虫誘引面部３によって誘引されて、開閉体カーテン２の内面側に集まり、防虫区画１の内部に飛散することが防止され、容易に捕捉される。外部の虫は、虫忌避面部４（４Ａ）によって忌避されることにより、防虫区画１００の内部に侵入しにくくなる。
防虫区画１００が建造物内に区画して形成されている時には、防虫区画１００への出入口１０１は、建造物内の区画壁１０２に形成される。
【００１２】
請求項３は、前記開閉体カーテン２は、シートカーテンよりなり、その上部が前記防虫区画１００の天井部に沿って設けられた開閉体ケース５内に挿入されて収納自在とされ、その両側縁部が左右のガイドレール６，６内に挿入されて昇降自在とされており、前記開閉体ケース５及び前記ガイドレール６の、少なくとも前記開閉体カーテン２が収納若しくは挿入される開口に隣接する内壁面は虫忌避剤が施されて虫忌避面部４（４Ｂ，４Ａ）とされた請求項１又は２に記載の開閉体装置の防虫構造にある。
【００１３】
上記開閉体装置では、虫が、開閉体ケース５又はガイドレール６の開口から、開閉体カーテン２内面の虫誘引面部３に誘引されるということがなく、防虫区画１００の内部に侵入しにくくなる。
【００１４】
開閉体カーテン２は、塩化ビニール製等の樹脂シートよりなるシートカーテンの他、織物製、金属やプラスチックの横長スラット板を回動自在に上下に連繋させたスラットカーテン、又はこれらの複合により形成させることができる。
【００１５】
請求項４では、前記開閉体カーテン２の前記虫忌避面部４（４Ａ）は、虫忌避剤が練り込まれた塩化ビニール製等の樹脂シートの前記外面側とされている。
【００１６】
上記虫忌避剤を塩化ビニール製樹脂シートに練り込んで使用する構成では、時間の経過とともに虫忌避剤が樹脂シートの外面側に徐々に溶けだし（ブリードし）長期間にわたって虫忌避効果を発揮する。虫忌避剤の配合量によって虫忌避効果の継続時間が変わるが、後述する図５の実施例では５年程度の効果を確認している。
【００１７】
請求項５では、前記開閉体カーテン２の前記虫誘引面部３は、開閉体カーテンの前記内部に対面する前記内面側に蛍光顔料により虫を誘う黄色系色調が施されて形成されている。
【００１８】
請求項６では、前記開閉体カーテン２の前記虫忌避面部４（４Ａ）は、除虫菊などの天然の虫忌避剤、ピレスロイド系などの化学合成された虫忌避剤、又は、それらの複合により形成された虫忌避剤により形成されている。
【００１９】
請求項７では、前記開閉体カーテン２は、その上部が前記開閉体ケース５内に幅方向に軸支された巻取軸の外周に開閉体カーテン２の前記虫誘引面部３が外側となるように巻き取られて収納自在とされている。
【００２０】
請求項８では、前記開閉体ケース５及び前記ガイドレール６の前記虫忌避面部４（４Ｂ，４Ｃ）は、除虫菊などの天然の虫忌避剤、ピレスロイド系などの化学合成された虫忌避剤、又は、それらの複合により形成された虫忌避剤により形成されている。
【００２１】
請求項９では、前記開閉体カーテン２の虫誘引機能を有する前記虫誘引面部３’は、閉鎖状態における開閉体カーテン２の下部に形成されている。
【００２２】
上記虫誘引面部３’は、閉鎖状態における開閉体カーテン２の下部であって、閉鎖状態における開閉体カーテンの上下幅の略１／２、又は略１／１０の長さに形成させることができる。
【００２３】
防虫区画１の内部に侵入した虫（ハエのような小昆虫）が閉鎖状態における開閉体カーテン２内面の虫誘誘引面部に付着した状態で、開閉体カーテン２を開閉体ケース５内に巻き上げた場合、虫が開閉体ケース５に侵入し、開閉体カーテン２の巻き上げ重なり面によって押しつぶされるということが考えられる。
請求項７の巻取り構造では、虫誘引面部３に付着した虫は、巻取り時に開閉体カーテン２の外面から払い落とされることになる。
請求項９では、虫誘引面部３’を開閉体カーテン２の下部にのみ形成させるとにより、開閉体カーテン２の巻き上げに伴って虫が開閉体ケース内に侵入することが防止される。
【発明の効果】
【００２４】
以上のように本発明に係る開閉体装置の防虫構造では、防虫区画内部の虫は、虫誘引面部によって誘引されて、開閉体カーテンの内面側に集まり、防虫区画の内部に飛散することが防止され、容易に捕捉される。外部の虫は、虫忌避面部によって忌避されて防虫区画の内部に侵入しにくくなる。
開閉体カーテンの防虫区画側内面に虫誘引面部が形成された構造では、外部の虫が虫誘引面部に誘引されて防虫区画内部に侵入する恐れがあるが、本発明ではそのようなことがない。
【００２５】
請求項３の構造では、開閉体ケース及びガイドレールの、少なくとも開閉体カーテンが収納若しくは挿入される開口に隣接する内壁面は虫忌避剤が施されて虫忌避面部が形成されているところから、虫が、開閉体ケース又はガイドレールの開口から、開閉体カーテン内面の虫誘引面部に誘引されるということがなく、防虫区画の内部に侵入しにくくなる。
【００２６】
請求項４の構造では、時間の経過とともに虫忌避剤が樹脂シートの外面側に徐々に溶けだし（ブリードし）長期間にわたって虫忌避効果を発揮する。
【００２７】
請求項７の巻取り構造では、虫誘引面部に付着した虫は、巻取り時に開閉体カーテンの外面から払い落とされることになる。
【００２８】
請求項９では、虫誘引面部を開閉体カーテン２の下部にのみ形成させるとにより、開閉体カーテンの巻き上げに伴って虫が開閉体ケース内に侵入することが防止される。
【図面の簡単な説明】
【００２９】
【図１】本発明の第１実施形態に係る開閉体装置の全体構造を示す正面図である。
【図２】同開閉体装置の横断面図である。
【図３】同開閉体装置の上部の上部の縦断面図である。
【図４】同開閉体カーテンの下部の縦断面図である。
【図５】同開閉体カーテンの第２実施形態の下部の縦断面図である。
【図６】同開閉体カーテンの第３実施形態の下部の縦断面図である。
【図７】同開閉体カーテンの第４実施形態の下部の縦断面図である。
【発明を実施するための形態】
【００３０】
以下、本発明を適用した実施の形態例を図を参照して説明する。
（第１実施形態）
図１乃至図４は本発明の第１実施形態を示す。
図１に示される第１実施形態に係る防虫構造を有する開閉体装置１は、高速シートシャッター装置により構成され、建物内部の防虫区画１００の出入口１０１に設けられ、該出入口１０１を開閉する。開閉体装置１は、出入口１０１を開閉自在に閉鎖するシートカーテンよりなる開閉体カーテン２と、出入口１０１の上部に設けられ開閉体カーテン２を繰り出し自在に収納する開閉体ケース５と、出入口１０１の左右壁部に設けられ、開閉作動する開閉体カーテン２の両側部が挿入案内される左右のガイドレール６，６とを有している。
【００３１】
建造物の内部を区画し、区画壁１０２に出入口１０１を設けて、出入口１０１の内部を防虫区画１００としてもよい。また、建造物自体の出入口１０１に、開閉体装置１を設け、建造物の内部を防虫区画１００としてもよい。
【００３２】
開閉体カーテン２は、第１実施形態では、塩化ビニール製等の樹脂シートにより形成されたシートカーテンよりなり、その防虫区画１００の内部に対面する内面側は虫誘引機能を有する虫誘引面部３とされ、その前記外部に対面する外面側は虫忌避機能を有する虫忌避面部４（４Ａ）とされている。
【００３３】
開閉体カーテン２は、その下端に幅方向に略連続して袋状のボトムシートよりなる座部２’が固定されている。また、開閉体カーテン２のガイドレール６，６内に挿入される両側縁には、上下方向に略連続して、ガイドレール６，６からの抜止め係止部７が形成されている。
【００３４】
ボトムシートよりなる座部２’の外側面には、虫忌避機能を有する虫忌避面部４（４Ａ’）が施されていてもよい。座部２’は、閉鎖時、出入口１０１の底部に押圧されて偏平に変形するところから、虫忌避面部４（４Ａ’）は、無くともよい。
【００３５】
開閉体カーテン２は、上記樹脂シートの他、織物製、金属やプラスチックの横長スラット板を回動自在に上下に連繋させたスラットカーテン、又はこれらの複合により形成させることができる。
【００３６】
開閉体カーテン２の上記虫誘引面部３は、開閉体カーテンの前記内部に対面する内面側に蛍光顔料により虫を誘う黄色系色調が施されて形成されている。
【００３７】
また、開閉体カーテン２の虫忌避面部４（４Ａ）は、除虫菊などの天然の虫忌避剤、ピレスロイド系などの化学合成された虫忌避剤、又は、それらの複合により形成された虫忌避剤により形成されている。
【００３８】
開閉体カーテン２は、その上部が開閉体ケース５内に幅方向に軸支された巻取軸の外周に開閉体カーテン２の前記虫誘引面部３が外側となるように巻き取られて収納自在とされている。開閉体ケース５内には、開閉体カーテン２を高速で巻取り、又は、巻き戻すための電動開閉機が設けられる。電動開閉機は、操作スイッチ等の操作により開閉又は停止操作される。
【００３９】
図２及び図３に示されるように、開閉体ケース５及びガイドレール６の、少なくとも開閉体カーテン２が収納若しくは挿入される開口に隣接する内壁面は、上記と同様の虫忌避剤が施されて虫忌避面部４（４Ｂ，４Ｃ）とされている。
【００４０】
上記第１実施形態に係る開閉体装置１の防虫構造では、防虫区画１００内部の虫（主として昆虫）は、虫誘引面部３によって誘引されて、開閉体カーテン２の内面側に集まり、防虫区画１の内部に飛散することが防止されて商品内に混入せず、容易に捕捉される。外部の虫は、虫忌避面部４（４Ａ）によって忌避されることにより、防虫区画１００の内部に侵入しにくくなる。
【００４１】
また、上記開閉体装置１では、虫が、開閉体ケース５又はガイドレール６の開口から、開閉体カーテン２内面の虫誘引面部３に誘引される恐れがなく、防虫区画１００の内部に侵入しにくくなる。
【００４２】
図３に示すように、開閉体カーテン２は、開閉体ケース５内の巻取軸の外周に開閉体カーテン２の虫誘引面部３が外側となるように巻き取られて収納自在とされているところから、虫誘引面部３に付着した虫は、巻取り時に開閉体カーテン２の外面から払い落とされることになり、開閉体カーテン２の巻き上げ重なり面に虫が付着するということがない。
【００４３】
（第２実施形態）
図５は、本発明の第２実施形態を示す。
第２実施形態に係る開閉体カーテン２１の虫忌避面部４（４Ａ）は、虫忌避剤が練り込まれた塩化ビニール製等の樹脂シートにより形成されている。
【００４４】
上記虫忌避剤を塩化ビニール製樹脂シートに練り込んで使用する構成では、時間の経過とともに虫忌避剤が樹脂シートの外面側に徐々に溶けだし（ブリードし）長期間にわたって虫忌避効果を発揮する。虫忌避剤の配合量によって虫忌避効果の継続時間が変わるが、この実施例では５年程度の効果を確認している。
【００４５】
（第３実施形態）
図６は、本発明の第３実施形態を示す。
第３実施形態に係る開閉体カーテン２２は、樹脂シートカーテンを二重構造とし、その防虫区画１００の内部に対面する内面側のシートは虫誘引機能を有する虫誘引面部３とし、その外部に対面する外面側のシートは虫忌避機能を有する虫忌避面部４（４Ａ）としている。
【００４６】
（第４実施形態）
図７は、本発明の第４実施形態を示す。
第４実施形態に係る開閉体カーテン２３は、開閉体カーテン２３の虫誘引機能を有する前記虫誘引面部３’を、閉鎖状態における開閉体カーテン２の下部に形成させ、開閉体カーテン２の上部には虫誘引面部は形成しない。
【００４７】
上記虫誘引面部３’は、閉鎖状態における開閉体カーテン２の下部であって、閉鎖状態における開閉体カーテンの上下幅の略１／２、又は略１／１０の長さに形成させることができる。
【００４８】
虫誘引面部３’を開閉体カーテン２の下部にのみ形成させるとにより、開閉体カーテン２の巻き上げに伴って虫が開閉体ケース内に侵入することが防止される。また、製作費用も安くすることができる。
【００４９】
第２乃至第４実施形態において、第１実施形態に対応する構成部分には、共通する参照符号を付して、その詳細な説明は省略した。
【産業上の利用可能性】
【００５０】
本発明は、各種の建物用シャッター、例えば、巻き上げ式ではない、オーバーヘットドア等にも適応できる。
さらに、農業用ハウスなどの出入口、或いは、その固定式シートにも適応することができる。
【符号の説明】
【００５１】
１  開閉体装置
２，２１，２２，２３  開閉体カーテン
２’  座部
３，３’  虫誘引面部
４（４Ａ，４Ｂ，４Ｃ）  虫忌避面部
５  開閉体ケース
６  ガイドレール
７  係止部
１００  防虫区画
１０１  出入口
１０２  区画壁
【図１】
0006539153.tif 000002
【図２】
0006539153.tif 000003
【図３】
0006539153.tif 000004
【図４】
0006539153.tif 000005
【図５】
0006539153.tif 000006
【図６】
0006539153.tif 000007
【図７】
0006539153.tif 000008